(57)【要約】【課題】指が払い戻し蓋の下部に引掛からずに容易にメダルを取り出すことのできるメダル払い戻し装置を提供することにある。【解決手段】メダル払い出し口10ａの上部に前後へ揺動可能に取り付けられた払い戻し蓋８を備えたメダル払い戻し装置１において、回転体８ｆの回転中心に沿って該回転体８ｆに後記回転軸８ｅの軸径より大径の軸孔８ｇが形成され、該軸孔８ｇに遊嵌されて前記回転体８ｆの両端部から突出した回転軸８ｅの両端部が蓋幅方向に沿う水平方向へ指向して前記払い戻し蓋８の本体８ａの下方両端部８ｄに一体に取り付けられている。【選択図】図１
2007293790.tif 000002
【特許請求の範囲】
【請求項１】
メダル返却口の上部に前後へ揺動可能に取り付けられた返却蓋と、該返却蓋を鉛直面より手前側に向う揺動を規制するとともに、鉛直面より奥側へ所定角度以内に揺動を規制する揺動範囲規制手段を備えたメダル返却装置において、
前記返却蓋の下部に少なくとも１個の切り欠きが形成され、
前記切り欠きにおける返却蓋幅方向長さよりも短い長さの回転体の回転中心に沿って該回転体に軸孔が形成され、
該軸孔より小径で前記返却蓋の幅方向へ指向した回転体枢支軸が、前記回転体の軸孔に回転可能に遊嵌されるとともに、前記返却蓋の切り欠きに対し該返却蓋幅方向へ隣接した枢支部に一体に取り付けられたことを特徴とするメダル返却装置。
【請求項２】
前記返却蓋の幅方向中央部に切り欠きが形成され、
該切り欠きに対し返却蓋幅方向に隣接した枢支部に、前記回転体の軸孔に回転可能に遊嵌された前記回転体枢支軸の両端部が一体に取り付けられたことを特徴とする請求項１記載のメダル返却装置。
【請求項３】
前記返却蓋の幅方向中央部に少なくとも１個の切り欠きが形成されるとともに、幅方向両端部に切り欠きが形成され、
該幅方向中央部に少なくとも１個形成された切り欠きに、少なくとも１個の回転体が配置されるとともに、該幅方向両端部に形成された切り欠きに２個の回転体がそれぞれ配置され、これら回転体の軸孔を貫通した回転体枢支軸は、前記幅方向中央部の切り欠きおよび前記幅方向両端部の切り欠き相互に挟まれた枢支部を貫通して少なくとも１個の枢支部に一体に取り付けられたことを特徴とする請求項１記載のメダル返却装置。
【請求項４】
前記返却蓋は合成樹脂製で、返却蓋成形により前記回転体の金属製回転軸が該合成樹脂製返却蓋の枢支部に一体に埋設されたことを特徴とする請求項１ないし請求項３のいずれか１項に記載のメダル返却装置。
【請求項５】
メダル返却口の上部に前後に揺動可能に取り付けられた返却蓋と、該返却蓋を鉛直面より手前側に向う揺動を規制するとともに、鉛直面より奥側へ所定角度以内に揺動を規制する揺動範囲規制手段とを備えたメダル返却装置において、
前記返却蓋の頂部に金属製回転軸が一体に取り付けられ、
前記メダル返却口の上部両側部に、前記金属製回転軸の径よりも上下方向に大きな軸孔がそれぞれ設けられ、
該両軸孔に前記金属製回転軸が遊嵌されて吊下された状態では、前記返却蓋の下縁が前記メダル返却口の底面に僅かな間隙を存して接近するように構成されたことを特徴とするメダル返却装置。
【請求項６】
前記返却蓋は合成樹脂製で、該合成樹脂製返却蓋の手前面における上下中央部から下部に亘り奥側に向って緩やかな凸曲面に形成され、
前記合成樹脂製返却蓋の奥側凹曲部には上方へ起立したリブが一体に形成されたことを特徴とする請求項５記載のメダル返却装置。
【発明の詳細な説明】
【技術分野】
【０００１】
本発明は、メダル（本明細書および特許請求の範囲において、メダルとは硬貨や金属製円板の他に硬質合成樹脂製円板をも意味している）を投入することにより動作するゲーム装置や自動販売機等に用いられるメダルをメダル返却口に返却するメダル返却装置に関するものである。
【背景技術】
【０００２】
従来のメダル返却装置では、図１６に図示されるように、壁体０１の開口０２に隣接した裏面に、受け皿０３の返却口外周部０４が当接されて一体に装着され、開口０２を壁体０１の内側から塞ぐように、返却蓋０５の頂部０６を貫通した軸０７の両端が受け皿０３の両側壁に前後に揺動可能に取り付けられていた。
【０００３】
図１６に図示のメダル返却装置では、受け皿０３の底面０３ａが奥側から手前側に向って下方へ傾斜しているため、受け皿０３の上方に設けられたメダル落下排出装置０８から受け皿０３にメダルが排出された場合に、返却蓋０５を奥に向って押して、開口０２を明ければ、そのメダルは受け皿０３の傾斜底面０３ａに沿って開口０２に移動し易いので、メダルの取り出しが容易である。
【０００４】
しかし、幼児の指のように、細くて柔らかな指を返却蓋０５の下縁と受け皿０３の傾斜底面０３ａの間に差し込んで傾斜底面０３ａ上のメダルを取り出そうとする時に、指が返却蓋０５の下縁０５ａに引掛ってメダルを円滑に取り出すことができない場合がある。
【０００５】
【特許文献１】特開平２−１７８７９４号公報
【発明の開示】
【発明が解決しようとする課題】
【０００６】
本発明は、指が返却蓋の下部に引掛からずに容易にメダルを取り出すことのできるメダル返却装置を提供することを、解決しようとする課題としている。
【課題を解決するための手段】
【０００７】
請求項１記載の発明は、メダル返却口の上部に前後へ揺動可能に取り付けられた返却蓋と、該返却蓋を鉛直面より手前側に向う揺動を規制するとともに、鉛直面より奥側へ所定角度以内に揺動を規制する揺動範囲規制手段を備えたメダル返却装置において、前記返却蓋の下部に少なくとも１個の切り欠きが形成され、前記切り欠きにおける返却蓋幅方向長さよりも短い長さの回転体の回転中心に沿って該回転体に軸孔が形成され、該軸孔より小径で前記返却蓋の幅方向へ指向した回転体枢支軸が、前記回転体の軸孔に回転可能に遊嵌されるとともに、前記返却蓋の切り欠きに対し該返却蓋幅方向へ隣接した枢支部に一体に取り付けられたことを特徴とするメダル返却装置である。
【０００８】
請求項２記載の発明は、前記返却蓋の幅方向中央部に切り欠きが形成され、該切り欠きに対し返却蓋幅方向に隣接した枢支部に、前記回転体の軸孔に回転可能に遊嵌された前記回転体枢支軸の両端部が一体に取り付けられたことを特徴とする請求項１記載のメダル返却装置である。
【０００９】
請求項３記載の発明は、前記返却蓋の幅方向中央部に少なくとも１個の切り欠きが形成されるとともに、幅方向両端部に切り欠きが形成され、該幅方向中央部に少なくとも１個形成された切り欠きに、少なくとも１個の回転体が配置されるとともに、該幅方向両端部に形成された切り欠きに２個の回転体がそれぞれ配置され、これら回転体の軸孔を貫通した回転体枢支軸は、前記幅方向中央部の切り欠きおよび前記幅方向両端部の切り欠き相互に挟まれた枢支部を貫通して少なくとも１個の枢支部に一体に取り付けられたことを特徴とする請求項１記載のメダル返却装置である。
【００１０】
請求項４記載の発明は、前記返却蓋は合成樹脂製で、返却蓋成形により前記回転体の金属製回転軸が該合成樹脂製返却蓋の枢支部に一体に埋設されたことを特徴とする請求項１ないし請求項３のいずれか１項に記載のメダル返却装置である。
【００１１】
請求項５記載の発明は、メダル返却口の上部に前後に揺動可能に取り付けられた返却蓋と、該返却蓋を鉛直面より手前側に向う揺動を規制するとともに、鉛直面より奥側へ所定角度以内に揺動を規制する揺動範囲規制手段とを備えたメダル返却装置において、前記返却蓋の頂部に金属製回転軸が一体に取り付けられ、前記メダル返却口の上部両側部に、前記金属製回転軸の径よりも上下方向に大きな軸孔がそれぞれ設けられ、該両軸孔に前記金属製回転軸が遊嵌されて吊下された状態では、前記返却蓋の下縁が前記メダル返却口の底面に僅かな間隙を存して接近するように構成されたことを特徴とするメダル返却装置である。
【００１２】
請求項６記載の発明は、前記返却蓋は合成樹脂製で、該合成樹脂製返却蓋の手前面における上下中央部から下部に亘り奥側に向って緩やかな凸曲面に形成され、前記合成樹脂製返却蓋の奥側凹曲部には上方へ起立したリブが一体に形成されたことを特徴とする請求項５記載のメダル返却装置である。
【発明の効果】
【００１３】
請求項１記載の発明では、メダル返却口の上部に前後へ揺動可能に取り付けられた返却蓋の下部において、蓋幅方向に向う回転枢支軸に、水平方向を中心に回転自在に回転体が取り付けられているため、メダル返却口の底面に排出されたメダルを取り出すべく、返却蓋の下部の回転体を指でもって奥側に押した際には、該回転体が軽快に一方向へ回転する結果、メダル返却口の奥部に何等の抵抗もなく指を楽に差し込むことができる。その後、メダル返却口の底面上のメダルの上面に指を掛け、手前に引き出す時には、指に触れた前記回転体が前記した回転方向とは逆方向へ軽快に回転するため、殆んど抵抗を受けずに、容易にメダルを取り出すことができる。
【００１４】
さらに、前記返却蓋の下方の枢支部に回転軸が一体に取り付けられた回転軸に前記回転体が上下へ移動可能に遊嵌されているため、鉛直に前記返却蓋が垂下した状態においては、前記回転体は前記メダル返却口の底面に接触し、または僅かな間隙を存して隣接しており、また、前記返却蓋が鉛直面より手前側に向う揺動が規制されているため、たとえ、メダル排出手段からメダルが前記メダル返却口内の空間に勢い良く排出されても、前記メダル返却口は、前記返却蓋と前記回転体とで塞がれて、メダル返却口から手前側へのメダル放出は未然に阻止される。
【００１５】
そして、前記返却蓋の下部を利用者が指でもって奥へ押し、メダル返却口の底面上のメダルに指を掛けて手前へ引く時に、前記返却蓋の傾きによる手前側の揺動で、該返却蓋の回転体周面に指が下方へ押されても、該回転体は、上方へ移動しうるため、該回転体の下方への押し付け力が大幅に軽減される結果、該回転体は軽快に回転して、指は抵抗力を殆んど受けずに、引くことが可能となり、メダルの取り出しを円滑に遂行することができる。
【００１６】
また、請求項２記載の発明では、前記回転体の軸孔の両端部から水平方向へ突出した回転軸の両端部が、前記返却蓋の下方両端部に一体に取り付けられているため、前記回転軸の軸孔に遊嵌されている前記回転体が径方向へ移動し、または前記軸孔内を傾動することがあっても、前記回転軸は前記返却蓋の下方両端部に一体に固定される結果、前記回転体は安定して円滑に回転することができ、指と該回転体との相対的移動が何等の抵抗もなく円滑に遂行することができる。
【００１７】
さらに、請求項３記載の発明では、前記返却蓋の幅方向両端部に枢支部が存在しないため、該返却蓋の幅方向両端切り欠きに配置された両端回転体の外端面が、メダル返却口の側面に構成する両端面部の内側面に密接可能となるため、前記両端回転体の外端面と両側面部の内側面との間隔がより一層小さくなる結果、指の細い幼児の指が回転体とメダル返却口内面とに挟まれることが確実に阻止される。
【００１８】
請求項４記載の発明においては、合成樹脂製返却蓋の成形時にその下端両端部に、回転体を遊嵌枢支する金属製回転軸を一体的に強固にかつ能率良く容易に装着固定することができるので、生産性を向上させてコストダウンを図ることができる。
【００１９】
請求項５記載の発明においては、返却蓋の頂部に金属製回転軸が一体に取り付けられ、メダル返却口の上部両側部に、前記金属製回転軸の径よりも上下方向に大きな軸孔がそれぞれ設けられ、該両軸孔に前記金属製回転軸の両端部が遊嵌されて吊下された状態では、前記返却蓋の下縁が前記メダル返却口の底面に僅かな間隙を存して接近するように構成されているため、メダル排出手段からメダルがメダル返却口内の空間に勢い良く排出された場合に、該メダル返却口は、前記返却蓋で塞がれて、メダル返却口から手前側へのメダル放出は未然に阻止される。
【００２０】
そして、メダル返却口内の空間に溜っているメダルを取り出そうとして、前記返却蓋を手前側から奥側へ指を押し込み、前記メダル返却口内の空間のメダルの上面に指を掛け、手前に引き出す場合に、前記返却蓋が奥側に傾いた状態から鉛直面に戻る際に該返却蓋の下縁とメダル返却口内の空間底面との間隔縮小でもって指が前記返却蓋下縁でもって押されても、前記返却蓋の頂部の金属製回転軸が、前記メダル返却口の上部両側部における上下方向に大きな軸孔に遊嵌にされているため、前記返却蓋が上方へ移動することができ、その結果、前記返却蓋下縁と前記空間底面上のメダルとに指が挟まれることが未然に阻止される。
【００２１】
請求項６記載の発明においては、返却蓋が合成樹脂製で、該合成樹脂製返却蓋の手前面における上下中央部から下部に亘り奥側に向って緩やかな凸曲面に形成されているため、前記返却蓋の手前面から奥側に亘る表面が滑り易く、指が該返却蓋の下面と返却口内の空間底面上のメダルとに挟まれる惧れがない。
【００２２】
また、前記合成樹脂製返却蓋は軽量であるにも拘らず、丈夫であるので、安価であり、しかも、前記合成樹脂製返却蓋の奥側面上にメダルが引掛る惧れが全くない。
【発明を実施するための最良の形態】
【００２３】
以下、請求項１および請求項２ならびに請求項４記載の発明に係る図１ないし図６に図示の一実施形態について説明する。
【００２４】
図示のメダル返却装置１は、メダル２を使用してゲーム行なう図示されないメダルゲーム装置に付設されるもので、ゲームが成功した場合、その成功の度合いに応じて所定枚数のメダル２がメダル排出装置３よりメダル返却口４を備えたメダル収納部５へ排出されるようになっている。
【００２５】
前記メダル収納部５は、メダル２を収納する収納部本体６と、該収納部本体６の頂部を覆う収納部天板７と、該収納部本体６の手前側の開放部を覆う返却蓋８と、返却蓋８の前後揺動範囲を規制する揺動範囲規制部材９とよりなり、前記収納部本体６は、所定の形状（図示されず）にプレス成型された１板の金属製薄板が折り曲げられて、手前側（図１において右側）と上側が開放された箱状に形成されたもので、図３に図示されるように、該収納部本体６の左右両側面部６ａの手前側上縁部に欠除部６ｂが形成されるとともに、該収納部本体６の左右両側面部６ａの手前側部が左右側方へ向けて直角に折り曲げられて、左右鍔状部６ｃが形成され、かつ、前記収納部本体６の下側手前部が下方へ直角に折り曲げられて、下側鍔部６ｄが形成されている。なお、収納部本体６の奥側底面部６ｅは、奥側から手前側に向って傾斜しており、メダル排出装置３から排出されたメダル２がその傾斜面によって手前側に転がり、または滑って、図５に図示されるように、手前側底面部６fにメダル２が堆積しうるようになっている。
【００２６】
図示されないメダルゲーム装置の手前側壁板10には、図１に図示されるように、短形状開口10ａが形成されており、該開口10ａに収納部本体６の手前側開放部が合わせられ、該開口10ａの左右両側に位置して手前側壁板10の奥側面10ｂに前記収納部本体６の左右鍔状部６ｃが図示されないネジでもって一体に取り付けられるとともに、前記開口10ａの下側に位置して手前側壁板10の奥側面10ｂに前記収納部本体６の下側鍔状部６ｄが図示されないネジでもって一体に取り付けられている。
【００２７】
また、図４に図示されるように、前記収納部天板７の頂面部７ａの両側には、収納部本体６の両側面部６ａの外側面に密接しうるように直角に下方へ折り曲げられて、左右側面部７ｂが形成されるとともに、収納部天板７の頂面部７ａの奥側には、収納部本体６の奥側面部６ｇの上端面に下端面が当接しうるように直角に下方へ折り曲げられて、奥側面部７ｃが形成されている。
【００２８】
さらに、収納部天板７の左右側面部７ｂの手前側上部に手前側に向って開放された切り欠き部７ｄが形成されるとともに、収納部天板７の頂面部７ａの奥側には、開口７ｅが形成されており、メダル排出装置３から排出されたメダル２が開口７ｅを介してメダル収納部５の収納空間５ａ内に収納されるようになっている。
【００２９】
前記返却蓋８の平板状本体８ａは合成樹脂製で、図１および図３に図示されるように、この平板状本体８ａの上方拡径部８ｂには、金属製揺動軸８ｃが一体に埋設され、合成樹脂製平板状本体８ａの下部中央には、下方へ突出した下方両側部８ｄを残し、切り欠き８ｈが形成され、この下方両側部８ｄには、金属製枢支軸８ｅの両端が一体に埋設されるようになっている。
【００３０】
前記金属製枢支軸８ｅに枢支される回転ローラ８fの中心には、該枢支軸８ｅよりも大径の軸孔８ｇが形成されており、返却蓋８を製造する場合には、前記平板状本体８ａの形状と同一形状の図示されない金型のキャビティ内における上方拡径部８ｂの中心に対応する個所に前記金属製揺動軸８ｃが配置されるとともに、前記回転ローラ８fを回転自在に遊嵌支持した前記金属製枢支軸８ｅの両端が、前記金型キャビティ内における下方両側部８ｄの中心に対応する個所に配置された状態において、前記金型キャビティ内に熔融合成樹脂を射出成形することによって、返却蓋８が得られる。
【００３１】
前記回転ローラ８fは金属または自己潤滑性の優れたナイロン、弗素樹脂等でもよく、その周面は平滑な円筒面に形成されているが、収納部本体６の奥側底面６ｅおよび手前側底面部６fの左右幅方向中央が下方へ窪んだ形状の場合は、樽状に形成されてもよい。
【００３２】
前記返却蓋８の上方拡径部８ｂに一体に埋設された金属製揺動軸８ｃは、収納部本体６の欠除部６ｂの手前側縁６ｂ１と、収納部天板７の切り欠き部７ｄの奥側縁７ｄ１とでもって、前後方向の移動が規制されるとともに、これら両側縁６ｂ１、７ｄ１との間を上下へ移動しうるようになっている。
【００３３】
揺動範囲規制部材９では、１枚のチャンネル状金属薄板の奥の側壁部９ａの先端部が奥側へ約４５°折り曲げられて奥側ストッパー部９ｂが形成されるとともに、手前側壁部９ｃの先端部が奥側へ１８０°折り返されて手前側ストッパー部９ｄが形成されており、揺動範囲規制部材９の頂壁部９ｅが収納部天板７の頂面部７ａの手前側下面にスポット溶接等で一体に結合されている。
【００３４】
なお、図３に図示されるように、収納部本体６の両側面部６ａの前後中央の上方に位置して、収納部天板７を固定するネジ11のネジ孔６ｈが形成され、このネジ孔６ｈに接して収納部本体６の両側面部６ａの内側面にセンサ12が装着されており、メダル２がメダル収納部５内で満杯になったことをセンサ12によって検出されるようになっている。
【００３５】
図１ないし図６に図示の実施形態は、前述したように構成されているので、メダル排出装置３よりメダル返却装置１のメダル収納部５にメダル２が排出されると、図１に図示されるようにメダル収納部５における収納部本体６の奥側底面部６ｅに排出されたメダル２はその傾斜面によって手前側に転がり、または滑り落ち、手前側底面部６fに積重ねられる。
【００３６】
この時、収納部本体６の奥側底面部６ｅをメダル２が勢い良く転がり、または滑り落ちても、返却蓋８の下部に枢支された回転ローラ８fの下方周面が収納部本体６の手前側底面部６fに僅かな間隙を存して接近しており、かつ返却蓋８は揺動範囲規制部材９の手前側ストッパー部９ｄによって、手前側への揺動が阻止されるため、メダル２がメダル返却口４より手前側に排出されずに、収納部本体６の手前側底面部６fに確実に堆積できる。
【００３７】
そして、メダル収納部５における収納部本体６の手前側底面部６fに堆積されたメダル２を取り出すべく、図５に図示されるように、指13で返却蓋８の下部の円筒状回転ローラ８fを奥側に向けて押した際には、円筒状回転ローラ８fは、時計方向へ軽快に回転するため、殆んど抵抗を受けずに指13をメダル収納部５の奥側に差し込んで、前記収納部本体６の手前側底面部６f上のメダル２に指13を掛け、手前側へ引くことにより、手前側にメダル２を容易に掻き出すことができる。
【００３８】
この指13を手前側へ引く時に、指13が円筒状回転ローラ８fと収納部本体６の手前側底面部６fあるいはその上方のメダル２とに挟まれ、指13と円筒状回転ローラ８fとに摩擦力が働いても、円筒状回転ローラ８fは、図５において、反時計方向へ回転するため、大きな抵抗力を受けずに、指13をメダル２に掛けたまま、手前側にメダル２を楽に掻き出すことができる。
【００３９】
また、揺動範囲規制部材９の奥側ストッパー部９ｂにより、返却蓋８は略４０°以上奥側に揺動することができないように規制されているため、メダル返却口４より指13を差し込み、または、針金等を差し込んで、メダル排出装置３内のメダル２の取り出す行動を未然に防止することができる。
【００４０】
次に、請求項３および請求項４記載の発明に係る図７ないし図１２に図示された実施形態について説明する。
【００４１】
図７ないし図１２に図示の実施形態のメダル返却装置14の返却蓋15は、図１ないし図６に図示の実施形態のメダル返却装置１における返却蓋８と、その構造を異にしているが、その他のメダル排出装置３、メダル返却口４、メダル収納部５、収納部本体６（ただし、欠除部６ｂの形状が異なっている）、収納部天板７、揺動範囲規制部材９、手前側壁板10、ネジ11およびセンサ12は、同一構造であるので、同じ符号を用いることにする。
【００４２】
図１ないし図６に図示の実施形態において、合成樹脂製の平板状本体８ａの下方中央部には、下方へ突出した下方両側部８ｄを残し、切り欠き８ｈが１個形成され、この１個の切り欠き８ｈに挟まれて１個の回転ローラ８ｅが枢支軸８ｅに枢支されているが、本実施形態の返却蓋15は、図８ないし図１２に図示されるように、合成樹脂製平板状本体16と、金属製揺動軸17と金属製枢支軸18と、金属製または自己潤滑性の優れたナイロン、弗素樹脂製の回転ローラ19とよりなっており、平板状本体16の下方中央部に１個の中央切り欠き16ａが形成されるとともに、この中央切り欠き16ａの左右両側に、枢支部16ｃを残して、それぞれ１対の両側切り欠き16ｂが形成されている。
【００４３】
そして、中央切り欠き16ａおよび両側切り欠き16ｂにおける平板状本体16の幅方向長さよりもそれぞれ僅かに短い中央回転ローラ19ａおよび両側回転ローラ19ｂが用意され、この中央回転ローラ19ａの回転中心に軸孔19ａ１が形成されるとともに、両側回転ローラ19ｂの回転中心に前記軸孔19ａ１と同一径の軸孔19ｂ１が形成されている。
【００４４】
しかも、中央切り欠き16ａに中央回転ローラ19ａが位置するとともに、両側切り欠き16ｂに両側ローラ19ｂが位置した状態において、前記中央回転ローラ19ａおよび両側回転ローラ19ｂの軸孔19ａ１、19ｂ１よりも小径の金属製枢支軸18が、前記枢支部16ｃの孔16ｃ１に一体に嵌着されている。
【００４５】
図７ないし図１２に図示の実施形態は、前述したように構成されているので、金属製枢支軸18の径に対して中央回転ローラ19ａおよび両側回転ローラ19ｂの軸孔19ａ１、19ｂ１の径が大きいため、指13が回転ローラ19ａ、19ｂのいずれかと収納部本体６の手前側底面部６ｆに挟まれても、回転ローラ19ａ、19ｂのいずれかが、上方へ自由に動くことができ、かつこのローラ19ａ、19ｂが自由に回転できるので、指13は何等の抵抗を受けることなく、このメダル返却口４から簡単に引き抜くことができる。
【００４６】
また、平板状本体16の枢支部16ｃが収納部本体６の左右両側面部６ａの内面に隣接して存在しないため、この枢支部16ｃの幅方向寸法分の隙間がないので、図１２に図示されるように、たとえ返却蓋15が収納本体６の一方の側面部６aに寄ったとしても、回転ローラ19ｂの外側面と収納部本体６の側面部６ａの内面との間隙Ｙが、図６に図示の第１実施形態の回転ローラ８ｆの外側面と収納部本体６の側面部６ａの内面との間隙Ｘよりも小さくなり、指13が挟み込まれる可能性が一段と低い。
【００４７】
さらに、両側回転ローラ19ｂが金属製枢支軸18より簡単に引き抜き可能となっていても、この両側回転ローラ19ｂの引き抜きは、収納部本体６の側面部６ａによって未然に阻止される。
【００４８】
図７ないし図１２に図示の実施形態では、回転ローラ19に形成された軸孔19ａ１、19ｂ１は金属製枢支軸18よりも大径であり、かつ金属製枢支軸18が平板状本体16の枢支部16ｃに一体に嵌着され、この金属製枢支軸18に回転ローラ19ａ、19ｂが回転自在に遊嵌されているが、金属製枢支軸18に回転ローラ19ａ、19ｂが一体に嵌着され、平板状本体16の枢支部16ｃに図示されない軸孔の径が金属製枢支軸18よりも大径に設定され、金属製枢支軸18が平板状本体16の枢支部16ｃの軸孔に遊嵌されるようにしてもよい。
【００４９】
さらに、請求項５および請求項６記載の発明に係る図１３ないし図１５に図示の実施形態について説明する。
【００５０】
図１３ないし図１５に図示の実施形態のメダル返却装置20における返却蓋21は、図１ないし図６に図示の実施形態のメダル返却装置１における返却蓋８と、その構造を異にし、返却蓋21の揺動軸の枢支構造を異にするが、その他のメダル排出装置３、メダル返却口４、メダル収納部５、収納部本体６、収納部天板７、揺動範囲規制部材９、手前側壁板10、ネジ11およびセンサ12は、同一の構造であるので、同じ符号を用いることにする。
【００５１】
本実施形態における返却蓋21は、合成樹脂製で、返却蓋21の本体21ａの上方拡径部21ｂには、金属製揺動軸21ｃが一体に埋設され、前記本体21ａの横断面形状は、図13に図示されるように、上記拡径部21ｂから下方へ延長した平板状部21ｄの下部21ｅが奥側へ弯曲して釣針状に形成され、この下方弯曲部21ｅの内側には、揺動方向すなわち横断方面へ指向した２条の補強リブ21fが幅方向に亘って等間隔に一体に形成されるとともに、該補強リブ21fの上縁21ｇの中央から前記平板状２ｄと平行に１条のリブ21ｈが一体に形成されている。
【００５２】
なお、本実施形態では、図１３および図１５に示すように、収納部天板７の切り欠き部７ｄの頂縁７ｄ２は本体７ａの底面に接し、かつ、収納部本体６の欠除部６ｂの底縁６ｂ２と、収納部天板７の切り欠き部７ｄの底縁７ｄ３は第１実施形態のものよりも下方へ位置し、返却蓋21の揺動軸21ｃがこれら側縁６ｂ１、７ｄ１に支持された状態では、揺動軸21ｃは、上方へ僅かに移動できるようになっている。
【００５３】
図１３ないし図１５に図示の実施形態では、返却蓋21の本体21ａの下方弯曲部21ｅは滑らかな弯曲面に形成されているため、メダル返却口４からメダル収納部５内に指13を差し込んで、この指13に返却蓋21の下方弯曲部21ｅが接触した際に、指13がこの下方弯曲部21ｅに対し滑り、大きな摩擦力が働かない結果、指13が返却蓋21の下方弯曲部21ｅの下面と収納部本体６の手前側底面部６fまたその上方のメダル２とに挟み込まれずに、手前側へ指13を引き抜くことができる。
【００５４】
また、たとえ、指13の上面が一部上方へ盛がっていても、返却蓋21は上方へ移動できるため、返却蓋21の下方弯曲部21ｅの下面に指13が引掛からずに、指13を手前側へ簡単に引き抜くことができる。
【００５５】
さらに、返却蓋21の下方弯曲部21ｅの凹部に補強リブ21fおよびリブ21ｈが配設されているため、図１３に図示されるようにメダル２がその凹部に侵入することがない。
【図面の簡単な説明】
【００５６】
【図１】請求項１ないし請求項２ならびに請求項４に係る発明の第１実施形態の縦断側面図である。
【図２】図１のII矢視図である。
【図３】図１における収納本体の斜視図である。
【図４】収納本体に収納天板を覆った状態の部分斜視図である。
【図５】図１において、収納本体に収納されたメダルを指でもって掻き出そうとする状態を図示した縦断側面図である。
【図６】図１のＶＩ−ＶＩ線に沿って裁断した縦断面図である。
【図７】請求項３に係る発明の第２実施形態の収納本体の斜視図である。
【図８】第２実施形態の返却蓋の一部縦断した斜視図である。
【図９】平板状本体に金属製枢支軸を介して中央回転ローラを取り付ける前の斜視図である。
【図１０】平板状本体に金属製枢支軸を介して中央回転ローラを取り付けた状態の斜視図である。
【図１１】平板状本体に金属製枢支軸を介して中央回転ローラおよび両側回転ローラを取り付けた状態の斜視図である。
【図１２】図６と同様な第２実施形態の平板状本体および回転ローラの縦断面図である。
【図１３】請求項５ないし請求項６に係る発明の第２実施形態の縦断側面図である。
【図１４】図１３における収納本体の斜視図である。
【図１５】図１３における収納本体に収納天板を覆った状態の部分斜視図である。
【図１６】従来のメダル返却装置の縦断側面図である。
【符号の説明】
【００５７】
１…メダル返却装置、２…メダル、３…メダル排出装置、４…メダル返却口、５…メダル収納部、６…収納部本体、７…収納部天板、８…返却蓋、９…揺動範囲規制部材、10…手前側壁板、11…ネジ、12…センサ、13…指、14…メダル返却装置、15…返却蓋、16…平板状本体、17…金属製揺動軸、18…金属製枢支軸、19…回転ローラ、20…メダル返却装置、21…返却蓋。
【図１】
2007293790.tif 000003
【図２】
2007293790.tif 000004
【図３】
2007293790.tif 000005
【図４】
2007293790.tif 000006
【図５】
2007293790.tif 000007
【図６】
2007293790.tif 000008
【図７】
2007293790.tif 000009
【図８】
2007293790.tif 000010
【図９】
2007293790.tif 000011
【図１０】
2007293790.tif 000012
【図１１】
2007293790.tif 000013
【図１２】
2007293790.tif 000014
【図１３】
2007293790.tif 000015
【図１４】
2007293790.tif 000016
【図１５】
2007293790.tif 000017
【図１６】
2007293790.tif 000018